(57)【特許請求の範囲】
【請求項１】
システム機器用ラックに直線方向案内部材を介して奥行方向に取り付けられる引出しテーブルを具備し、引出しテーブルに取り付けられる機器載置パネルを具備し、機器載置パネルに取り付け固定されるガイドボスと引出しテーブルの中央部に奥行方向に延伸して引出しテーブルを貫通して形成されるガイドボスの案内スリットとより成る奥行方向摺動および回動部材を具備するシステム機器用ラックにおいて、
ガイドボスは半円形状ボス部と半円形状ボス部に一体の取り付け部より成り、
案内スリットは引出しテーブルの前部側終端部を半円形状ボス部の半径にほぼ等しい半径の円の１／２円形終端部に形成されると共に引出しテーブルの後部側終端部を半円形状ボス部の半径にほぼ等しい半径の円の１／４円形終端部に形成してその間を直線に形成したものより成ることを特徴とするシステム機器用ラック。
【請求項２】
請求項１に記載されるシステム機器用ラックにおいて、
案内スリットの前部側の１／２円形終端部は案内スリットの延伸方向の中心線に関して左右非対称に案内スリットの半円形状ボス部の直線部が摺動する側に偏位して形成されることを特徴とするシステム機器用ラック。
【請求項３】
請求項１に記載されるシステム機器用ラックにおいて、
ガイドボスは互いに対向する平行な２直線部と互いに対向する等長の円弧部より成るボス部とこれに一体の取り付け部により構成され、
案内スリットの前部側終端部を案内スリットの延伸方向中心線上に中心を置いて半円形状ボス部の円弧部の半径に等しい半径の円形状に形成し、
案内スリットは引出しテーブルの前部側終端部を案内スリットの延伸方向中心線に関して左右対称に形成したことを特徴とするシステム機器用ラック。
【請求項４】
請求項１ないし請求項３の内の何れかに記載されるシステム機器用ラックにおいて、
引出しテーブル上面の案内スリット周縁近傍に摩擦係数の小さい合成樹脂より成る摺動シートを接合固定したことを特徴とするシステム機器用ラック。
【発明の詳細な説明】
【０００１】
【発明の属する技術分野】
この発明は、システム機器用ラックに関し、特に、幅が規格より大きいところから横方向位置のままシステム機器用ラックに収納することができないシステム機器を、機器載置パネルに固定した状態で向きを変えてシステム機器用ラックに収納し、システム機器使用時においはシステム機器を機器載置パネルに固定した状態でシステム機器用ラックから引き出して向きを元の状態に戻すシステム機器用ラックに関する。
【０００２】
【従来の技術】
従来例を図６および図７を参照して説明する。
１はシステム機器用ラック全体を示す。２は機器載置パネルであり、システム機器用ラック１に収容されるシステム機器３が載置される板状の部材である。４は引出しテーブルであり、システム機器用ラック１を構成する側板１１に対して直線方向案内部材４６を介して結合している。
【０００３】
ここで、システム機器用ラック１は、一般に、１９インチラックと称される形状寸法構造ものが製造流通しており、代表的な規格である国内規格のＪＩＳ規格および米国規格のＥＩＡ規格において規定されている。ＪＩＳ規格においては、システム機器用ラック１に収納される機器載置パネル２のパネル幅は４８０ｍｍのＮ倍、高さは５０ｍｍのＮ倍に規定されている。機器載置パネル２はこの規格に合わせて形成され、利用するのが一般的である。
【０００４】
【発明が解決しようとする課題】
ここで、システム機器用ラック１に収納される機器載置パネル２のパネル幅は４８０ｍｍの規格幅とし、システム機器用ラック１の奥行は４８０ｍｍより大であるものとして説明する。この機器載置パネル２に載置され、システム機器用ラック１に収納引き出されるシステム機器３の幅が４８０ｍｍを超える場合、このシステム機器３を横方向位置のままで機器載置パネル２に固定した状態に構成することはできない。この状態のまま機器載置パネル２にシステム機器３を固定すれば、当然、機器載置パネル２にシステム機器３を載置した状態でそのままこれらをシステム機器用ラック１に収納することはできないからである。従って、従来は、機器載置パネル２上においてシステム機器３を置き変えて機器の幅方向の長さを４８０ｍｍより小さくしてから機器載置パネル２を摺動してシステム機器用ラック１内に収納していた。システム機器３をシステム機器用ラック１から引き出して使用状態に設定する時は、機器載置パネル２をシステム機器用ラック１から引き出して機器３の向きを元に戻して使用していた。このシステム機器３の使用状態においては、システム機器の横幅は機器載置パネル２の横幅と比較して大である上に、システム機器３が機器載置パネル２に確実に固定されている訳ではないので、システム機器３は位置的に不安定な状態にある。システム機器３がキーボードの如く或る操作、作業をするものであると、位置的に不安定な状態にあることに起因してその操作作業に支障をきたす。そして、システム機器３がこの種の電気機器である場合、システム機器３を時計方向或いは反時計方向に置き変操作を長期に亘って行っている内に、機器に付設される電気配線が捻じれる恐れがある。
【０００５】
この発明は、幅が規格より大きいところから横方向位置のままシステム機器用ラックに収納することができないシステム機器を、機器載置パネル２に固定した状態で向きを変えてシステム機器用ラックに収納し、システム機器使用時においはシステム機器を機器載置パネル２に固定した状態でシステム機器用ラック１から引き出して向きを元の状態に戻す構成を採用し、上述の問題を解消したシステム機器用ラックを提供するものである。
【０００６】
【課題を解決するための手段】
請求項１：システム機器用ラック１に直線方向案内部材４６を介して奥行方向に取り付けられる引出しテーブル４を具備し、引出しテーブル４に取り付けられる機器載置パネル２を具備し、機器載置パネル２に取り付け固定されるガイドボス２１と引出しテーブル４の中央部に奥行方向に延伸して引出しテーブル４を貫通して形成されるガイドボス２１の案内スリット４１とより成る奥行方向摺動および回動部材を具備するシステム機器用ラックにおいて、ガイドボス２１は半円形状ボス部２１１と半円形状ボス部に一体の取り付け部２１２より成り、案内スリット４１は引出しテーブル４の前部側終端部を半円形状ボス部２１１の半径にほぼ等しい半径の円の１／２円形終端部に形成されると共に引出しテーブル４の後部側終端部を半円形状ボス部の半径にほぼ等しい半径の円の１／４円形終端部に形成してその間を直線に形成したものより成るシステム機器用ラックを構成した。
【０００７】
そして、請求項２：請求項１に記載されるシステム機器用ラックにおいて、案内スリット４１の前部側の１／２円形終端部は案内スリット４１の延伸方向の中心線に関して左右非対称に案内スリットの半円形状ボス部２１１の直線部が摺動する側に偏位して形成されるシステム機器用ラックを構成した。
【０００８】
また、請求項３：請求項１に記載されるシステム機器用ラックにおいて、ガイドボス２１は互いに対向する平行な２直線部ｃと互いに対向する等長の円弧部Ｒより成るボス部とこれに一体の取り付け部により構成され、案内スリットの前部側終端部を案内スリットの延伸方向中心線上に中心を置いて半円形状ボス部の円弧部の半径に等しい半径の円形状に形成し、案内スリット４１は引出しテーブル４の前部側終端部を案内スリットの延伸方向中心線に関して左右対称に形成したシステム機器用ラックを構成した。
【０００９】
更に、請求項４：請求項１ないし請求項３の内の何れかに記載されるシステム機器用ラックにおいて、引出しテーブル上面の案内スリット周縁近傍に摩擦係数の小さい合成樹脂より成る摺動シートを接合固定したシステム機器用ラックを構成した。
【００１０】
【発明の実施の形態】
この発明の実施の形態を図を参照して説明する。
図１および図２を参照するに、引出しテーブル４はシステム機器用ラック１を構成する側板１１に対して直線方向案内部材４６を介して結合され、直線方向案内部材４６によりシステム機器用ラック１の奥行方向に摺動自在に操作されて収容、引き出される。機器載置パネル２はこの引出しテーブル４に取り付けられている。図において、システム機器３としてパソコン用のキーボードが図示されている。これに付随して、パソコン本体３１、ディスプレイ３２、プリンタ３３がシステム機器用ラック１に設置されている。そして、キーボード３の使用状態を示す図においては、キーボード３の床からの高さは事務机上でキーボード３を使用する場合と同程度に設計される。
【００１１】
図３を参照して機器載置パネル２および引出しテーブル４を説明する。機器載置パネル２のパネル幅は４８０ｍｍの規格幅とし、奥行はパネル幅４８０ｍｍより大である長方形をしている。２１は機器載置パネル２に溶接により固着されるガイドボスであり、半円形状ボス部２１１と半円形状ボス部２１１に一体の取り付け部２１２より成り、中心にはネジ孔２１３が形成されている。このガイドボス２１の半円形状ボス部２１１は、半径Ｒの円弧部Ｒと直線部ｃより成り、その直線部ｃを機器載置パネル２の奥行方向の側辺に平行にし、取り付け部２１２を介して機器載置パネル２に固着されている。２２、２３、２４は位置決め孔である。そして、２５は引き手を示す。
【００１２】
引出しテーブル４にはその中央部に奥行方向に延伸する案内スリット４１が引出しテーブル４を貫通して形成されている。引出しテーブル４の前部中央には把手４５が形成されている。この案内スリット４１は、その引出しテーブル４の前部側終端部を、半円形状ガイドボスの半円形状ボス部２１１の半径Ｒにほぼ等しい円の１／２円形終端部に形成されると共に、引出しテーブル４の後部側終端部を半円形状ボス部２１１の半径Ｒにほぼ等しい半径の円の１／４円形終端部に形成し、その間を直線に形成している。ここで、案内スリット４１の引出しテーブル４の前部側の１／２円形終端部は、案内スリット４１の延伸方向の中心線に関して左右非対称に形成され、案内スリット４１の半円形状ボス部２１１の直線部ｃが摺動する側に偏位して形成され、１／２円形終端部側に終止部ｅを形成している。案内スリット４１の半円形状ボス部２１１の円弧部Ｒが摺動する側は１／２円形終端部側に滑らかに接続形成されている。案内スリット４１の直線部の幅は半円形状ガイドボスの半円形状ボス部２１１の直線部ｃと円弧部Ｒの間の距離に等しい。４２および４３はボールプランジャである。
【００１３】
７は摩擦係数の小さい合成樹脂より成る摺動シートであり、その長さ方向を奥行方向にして引出しテーブル４の中央部上面に接合固定されている。摺動シート７の中央部には引出しテーブル４の案内スリット４１に対応するこれと同形状の案内スリット７１が形成され、引出しテーブル４上面の案内スリット４１周縁近傍に接合形成される。
図３（ｄ）を参照して引出しテーブル４に対する機器載置パネル２の取り付けについて説明するするに、摺動シート７が接合固定された引出しテーブル４の案内スリット４１に対して機器載置パネル２に溶接により固着されたガイドボス２１の半円形状ボス部２１１を上から挿通し、引出しテーブル４の下側から抜け止めプレート５を介在させ、その貫通孔５１を介して半円形状ボス部２１１のネジ孔２１３にネジ６を螺合する。この場合、案内スリット４１が形成される引出しテーブル４の中央部の板厚よりガイドボス２１の半円形状ボス部２１１突出を大きく形成することにより、ネジ孔２１３にネジ６を強く螺合せしめても、機器載置パネル２が引出しテーブル４に締め付け固定されない。
【００１４】
ここで、図３（ａ）は分解斜視図ではあるが、これを参照して引出しテーブル４および機器載置パネル２の操作について説明する。
ところで、引出しテーブル４および機器載置パネル２が図３（ａ）の状態に到る前の状態であるに格納された状態においては機器載置パネル２のガイドボス２１の半円形状ボス部２１１が引出しテーブル４の案内スリット４１の後方の終端である１／４円形終端部にあり、機器載置パネル２の位置決め孔２３に引出しテーブル４に形成されているボールプランジャ４２のボールがバネ圧で半挿入されて、機器載置パネル２は引出しテーブル４に保持された状態にある。
【００１５】
図３（ａ）は、引出しテーブル４をその把手４５を操作してシステム機器用ラック１から引き出し、次いで、機器載置パネル２の引き手２５を前方に引くことにより、ボールプランジャ４２のバネ圧が加えられるボールから位置決め孔２３の係合を解放し、ガイドボス２１の半円形状ボス部２１１の直線部ｃおよび円弧部Ｒが案内スリット４１に沿って案内されながら機器載置パネル２は前方に移動し、このガイドボス２１の半円形状ボス部２１１は最終的には案内スリット４１の前方の終端である１／２円形終端部に到達した状態を示す。
【００１６】
ここで、図４をも参照するに、機器載置パネル２に回動力を加え、この機器載置パネル２を半円形状ボス部２１１を軸として上から視て反時計方向に回動せしめる。この回動は半円形状ボス部２１１の直線部ｃが１／２円形終端部の終止部ｅに係合したところで終止し、機器載置パネル２は引き出されてきた方向とは直角方向に向きを変えられる。ここで、機器載置パネル２はその長い方の辺をシステム機器用ラック１の幅方向にした向きに変えられた状態にあり、これに載置されるシステム機器３のキーボードは操作することができる状態になる。この状態は、機器載置パネル２の位置決め孔２２に引出しテーブル４のボールプランジャ４３が嵌合すると共に機器載置パネル２の位置決め孔２４に機器載置パネル２のボールプランジャ４４が嵌合することにより保持される。
【００１７】
以上の通り、機器載置パネル２をガイドボス２１の半円形状ボス部２１１を介して案内スリット４１に沿って引き出すに際して、ガイドボス２１の取り付け部２１２の下面が引出しテーブル４上面の案内スリット４１周縁近傍に接合形成される摺動シート７上を摺動する。この摺動シート７を摩擦係数の小さい合成樹脂の薄板により形成することにより、機器載置パネル２およびこれに載置されるシステム機器３を容易に摺動操作することができる。
【００１８】
そして、案内スリット４１の引出しテーブル４の前部側１／２円形終端部は左右非対称に形成され、案内スリット４１の半円形状ボス部２１１の直線部ｃ側に偏位して形成され、ここに終止部ｅを形成している。これにより、機器載置パネル２を反時計方向に回動することはできるが、時計方向に回動することはできないので、機器載置パネル２に載置されるシステム機器３に電線ケーブルが取り付け延伸せしめられている場合においても、機器載置パネル２の引き出し収納に際してなされる回動の向きは往復の向きは互いに逆であり、機器載置パネル２が一方の回動方向に偏って回動することはない。従って、機器載置パネル２が一方方向に回転することはなく、電線ケーブルが絡むことはない。
【００１９】
引出しテーブル４および機器載置パネル２をシステム機器用ラック１に格納する仕方を説明する。図４における機器載置パネル２は、半円形状ボス部２１１を軸として上から視て奥行方向から反時計方向に直角に回動せしめた状態にある。この状態から、機器載置パネル２を半円形状ボス部２１１を軸として上から視て時計方向に回動力を加えると、機器載置パネル２の位置決め孔２２と引出しテーブル４のボールプランジャ４３の嵌合が解除されると共に機器載置パネル２の位置決め孔２４と機器載置パネル２のボールプランジャ４４の嵌合が解除され、機器載置パネル２は回動して半円形状ボス部２１１の直線部ｃが案内スリット４１に係合したところでこの回動は阻止され、ここで機器載置パネル２は長い方の辺をシステム機器用ラック１の奥行方向に向きを変えた状態になる。この状態において、引き手２５を奥向きに押圧操作し、ガイドボス２１の半円形状ボス部２１１の直線部ｃを案内スリット４１に沿って案内させがら機器載置パネル２を後方に移動し、このガイドボス２１の半円形状ボス部２１１は最終的には案内スリット４１の後方の終端である１／４円形終端部に到達する。この状態は機器載置パネル２の位置決め孔２３に引出しテーブル４のボールプランジャ４２が嵌合することにより保持される。次いで、引出しテーブル４の把手４５をシステム機器用ラック１の奥行方向に押圧操作してこれを収納する。
【００２０】
図５を参照して他の実施例を説明する。先の実施例においては、ガイドボス２１の半円形状ボス部２１１は直線部とこれに対向する円弧部よりなる半円形状に形成されているが、この実施例において、ガイドボス２１の半円形状ボス部２１１は、互いに対向する平行な２直線部ｃと互いに対向する等長の円弧部Ｒにより形成されている。ここで、平行な２直線部ｃの間の距離は対向する円弧部Ｒの間の直径と比較して小さい。ガイドボス２１の半円形状ボス部２１１の互いに対向する平行な２直線部ｃを引出しテーブル４の案内スリット４１に沿って案内せしめる。そして、案内スリット４１はその引出しテーブル４の前部側終端部を案内スリット４１の延伸方向中心線に関して左右対称に形成している。即ち、案内スリット４１の延伸方向中心線上に中心を置いて半円形状ボス部２１１の円弧部Ｒの半径に等しい半径のほぼ円形に形成されている。従って、案内スリット４１の引出しテーブル４の前部側の円形終端部と案内スリット４１の接続部は円形終端部側に終止部ｅを構成することができる。即ち、終止部ｅには半円形状ボス部２１１が案内スリット４１の円形終端部を回動している場合と異なるクリック感を生ぜしめる何らかの段部を形成しておく。
【００２１】
他の実施例の場合、機器載置パネル２を前方に引き出してガイドボス２１の半円形状ボス部２１１が案内スリット４１に案内されて引出しテーブル４の前部側の円形終端部に到達したとき、機器載置パネル２に対して何れの回動方向に回動力を加えてもこれを回動することができる。機器載置パネル２を何れの回動方向に回動しても機器載置パネル２に載置されるシステム機器３を使用状態に設置することができて、回動方向が一方方向である先の実施例と比較して取り扱い操作がその分だけ容易である。機器載置パネル２をシステム機器用ラック１内に格納する場合も同様に何れの方向にも回動することができる。
【００２２】
【発明の効果】
以上の通りであって、この発明のシステム機器用ラックは、幅が規格より大きいところから横方向位置のままシステム機器用ラックに収納することができないシステム機器を、機器載置パネルに固定した状態で向きを変えてシステム機器用ラックに収納し、システム機器使用時においはシステム機器を機器載置パネルに固定した状態でシステム機器用ラックから引き出して向きを元の状態に戻す構成を具備したことにより、システム機器用ラックに対するシステム機器の収納引き出しを容易にすると共に、システム機器を引き出した時のシステム機器は安定してその取り扱い操作に好適である。
【００２３】
そして、機器載置パネルを反時計方向に回動することはできるが、時計方向に回動することはできない構成を採用することにより、機器載置パネルに載置されるシステム機器に電線ケーブルが取り付け延伸せしめられている場合においても機器載置パネルの引き出し収納に際してなされる回動の向きは往復の向きは互いに逆であり、機器載置パネルが一方の回動方向に偏って回動することはない。従って、機器載置パネルが一方方向に回転することはなく、電線ケーブルが絡むことはない。
【００２４】
また、機器載置パネルを前方に引き出してガイドボスの半円形状ボス部が案内スリットに案内されて引出しテーブルの前部側の円形終端部に到達したとき、機器載置パネルに対して何れの回動方向に回動力を加えてもこれを回動することができる構成を採用することにより、機器載置パネルを何れの回動方向に回動しても機器載置パネルに載置されるシステム機器を使用状態に設置することができて取り扱い操作が容易となる。
【００２５】
更に、引出しテーブル上面の案内スリット周縁近傍に摩擦係数の小さい合成樹脂より成る摺動シートを接合固定することにより機器載置パネルおよびこれに載置されるシステム機器の摺動操作を容易にする。
また、機器載置パネルに位置決め孔を形成すると共に引出しテーブルに位置決め孔に嵌合結合するボールプランジャを形成し、両者間を嵌合結合することにより、引出しテーブルと機器載置パネルとが奥行方向摺動および回動部材を介して相互に固定されていることと相まって、機器載置パネルおよびこれに載置されるシステム機器はより安定化される。
【図面の簡単な説明】
【図１】実施例の全体の側面を示す図。
【図２】実施例の全体の正面を示す図。
【図３】引出しテーブルおよび機器載置パネルの実施例を説明する図。
【図４】図３の続き。
【図５】他の実施例を説明する図。
【図６】従来例の全体の側面を示す図。
【図７】従来例の全体の正面を示す図。
【符号の説明】
１  システム機器用ラック
１１  側板
２  機器載置パネル
２１  ガイドボス
２１１  半円形状ボス部
２１２  取り付け部
２１３  ネジ孔
２２、２３、２４  位置決め孔
２５  引き手
３  システム機器
３１  パソコン本体
３２  ディスプレイ
３３  プリンタ
４  引出しテーブル
４１  案内スリット
４２、４３、４４  ボールプランジャ
４５  把手
４６  直線方向案内部材
５  抜け止めプレート
５１  貫通孔
６  ネジ
７  摺動シート
７１  案内スリット
ｃ  直線部
ｅ  終止部
Ｒ  円弧部
【図１】
0003601666.tif 000002
【図２】
0003601666.tif 000003
【図３】
0003601666.tif 000004
【図４】
0003601666.tif 000005
【図５】
0003601666.tif 000006
【図６】
0003601666.tif 000007
【図７】
0003601666.tif 000008